【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
呼吸管の一部を形成する、または前記呼吸管を形成する構成要素であって、
単一押出成形物の押し出しにより形成されている発泡壁を有する管状本体を含み、
前記管状本体が外部シースをさらに含む、構成要素。
【請求項２】
前記発泡壁は、表面改質されている、
請求項１に記載の構成要素。
【請求項３】
呼吸管の一部を形成する、または前記呼吸管を形成する構成要素であって、
発泡壁を有する管状本体を含み、
前記発泡壁は、表面改質されており、前記管状本体が外部シースをさらに含む、構成要素。
【請求項４】
前記管状本体は、単一押出成形物の押し出しにより形成されている、
請求項３に記載の構成要素。
【請求項５】
前記外部シースは、前記管状本体の周りに押し出された外層として適用される、
請求項１〜４の何れか１項に記載の構成要素。
【請求項６】
前記外部シースは、前記管状本体の最初の押し出しに連続的な段階で押し出される、
請求項５に記載の構成要素。
【請求項７】
前記外部シースは、前記管状本体の周りに前記本体のまわりのラップとして適用される、
請求項１〜４の何れか１項に記載の構成要素。
【請求項８】
前記外部シースは、テープ形状又はリボン形状であり、前記管状本体の長さのまわりに螺旋状に巻かれて構成される、
請求項７に記載の構成要素。
【請求項９】
前記外部シースは、前記管状本体のまわりにスリーブとして適用される、
請求項１〜４の何れか１項に記載の構成要素。
【請求項１０】
前記外部シースは、前記何条本体のまわりの位置に滑り込ませられ、または、引っ張り込ませられ、または、スリーブとして取り付けられる、
請求項９に記載の構成要素。
【請求項１１】
前記外部シースは、前記管状本体と同様の材料から形成されている、
請求項１〜１０の何れか１項に記載の構成要素。
【請求項１２】
前記外部シースは、ＬＬＤＰＥ（低低密度ポリエチレン）で形成されている、
請求項１１に記載の構成要素。
【請求項１３】
前記外部シースは、前記管状本体の熱性能を向上させるように構成されている、
請求項１〜１２の何れか１項に記載の構成要素。
【請求項１４】
前記外部シースは、前記管状本体の可撓性を維持するような材料及び厚さで形成されている、
請求項１〜１３の何れか１項に記載の構成要素。
【請求項１５】
前記発泡壁は、化学手段又は物理手段により表面改質されている、
請求項２〜１４の何れか１項に記載の構成要素。
【請求項１６】
前記発泡壁は、前記壁表面の表面張力を変えることによって、例えば、前記壁表面の前記表面張力を増加することにより表面改質されている、
請求項２〜１５の何れか１項に記載の構成要素。
【請求項１７】
前記発泡壁は、使用時、前記管状本体内の液体（または形成されている可能性のある凝縮物）の視覚的検出を可能にする十分な最低限の光透過性を有するものである、
請求項１〜１６の何れか１項に記載の構成要素。
【請求項１８】
前記管状本体の前記壁が波形であるか、波形の外形のものであり、前記波形の外形は交互する外部波頂部（または環状突出部）と内部波底部（または環状凹部）とを含む、
請求項１〜１７の何れか１項に記載の構成要素。
【請求項１９】
前記管状本体が環状波形形状または螺旋波形形状のものである、
請求項１８に記載の構成要素。
【請求項２０】
前記管状本体が実質的に均一な壁厚を有する、
請求項１〜１９の何れか１項に記載の構成要素。
【請求項２１】
前記壁厚が約０．４ｍｍ〜約０．８ｍｍである、
請求項１〜２０のいずれか１項に記載の構成要素。
【請求項２２】
前記発泡壁が、少なくとも、前記発泡壁によって境界を定められた前記管状本体の前記内部を断熱している、
請求項１〜２１のいずれか１項に記載の構成要素。
【請求項２３】
前記発泡壁が約０．２〜０．４Ｗ／ｍ−°Ｋ（ワット／メートル度ケルビン）の熱伝導率を有する、
請求項１〜２２のいずれか１項に記載の構成要素。
【請求項２４】
前記発泡壁が発泡高分子材料の単一片である、
請求項１〜２３のいずれか１項に記載の構成要素。
【請求項２５】
前記発泡壁が約５．５％〜約７．５％の空隙率を有する、
請求項１〜２４のいずれか１項に記載の構成要素。
【請求項２６】
前記押出成形物が１種または複数種の高分子を含む、
請求項１、２、または、４〜２５のいずれか１項に記載の構成要素。
【請求項２７】
前記押出成形物が、直鎖状低密度ポリエチレン（ＬＬＤＰＥ）、低密度ポリエチレン（ＬＤＰＥ）、ポリプロピレン（ＰＰ）、ポリオレフィンプラストマ（ＰＯＰ）、エチレン酢酸ビニル（ＥＶＡ）、可塑化ポリ塩化ビニル（ＰＶＣ）の１種または複数種またはこれら材料のブレンドを含む、
請求項１、２、または、４〜２６のいずれか１項に記載の構成要素。
【請求項２８】
前記押出成形物が１種または複数種の化学発泡剤をさらに含む、
請求項１、２、または、４〜２７のいずれか１項に記載の構成要素。
【請求項２９】
前記押出成形物が、酸化カルシウムを含む１種または複数種の化学発泡剤をさらに含む、
請求項１、２、または、４〜２８のいずれか１項に記載の構成要素。
【請求項３０】
前記押出成形物が１種または複数種の表面改質剤をさらに含む、
請求項１、２、または、４〜２９のいずれか１項に記載の構成要素。
【請求項３１】
前記押出成形物が、グリセロールモノステアレート（ＧＭＳ）、エトキシル化アミン、アルカンスルホン酸ナトリウム塩またはラウリン酸ジエタノールアミンを含む１種または複数種の表面改質剤をさらに含む、
請求項１、２、または、４〜３０のいずれか１項に記載の構成要素。
【請求項３２】
前記押出成形物が、前記押出成形物全体の少なくとも約９８．４重量パーセント（ｗｔ．％）の高分子（１種）または高分子（複数種）を含む、
請求項１、２、または、４〜３１のいずれか１項に記載の構成要素。
【請求項３３】
前記押出成形物が前記押出成形物全体の少なくとも約０．００５重量パーセント（ｗｔ．％）の化学発泡剤を含む、
請求項１、２、または、４〜３２のいずれか１項に記載の構成要素。
【請求項３４】
前記押出成形物が前記押出成形物全体の少なくとも約０．０５重量パーセント（ｗｔ．％）の表面改質剤を含む、
請求項１、２、または、４〜３３のいずれか１項に記載の構成要素。
【請求項３５】
前記結果として形成された管状本体が約４５度（°）未満の表面特性接触角を可能にする、
請求項１〜３４のいずれか１項に記載の構成要素。
【請求項３６】
ヒータをさらに含む、
請求項１〜３５のいずれか１項に記載の構成要素。
【請求項３７】
ヒータが前記管状本体の壁に付属している、
請求項１〜３６のいずれか１項に記載の構成要素。
【請求項３８】
ヒータが前記管状本体の内壁面に付属している、
請求項１〜３７のいずれか１項に記載の構成要素。
【請求項３９】
ヒータが前記管状本体の外壁面に付属している、
請求項１〜３８のいずれか１項に記載の構成要素。
【請求項４０】
ヒータが部分的にまたは全体的に前記管状本体の前記壁に埋設されている、
請求項１〜３９のいずれか１項に記載の構成要素。
【請求項４１】
前記外部シースが前記管状本体の外壁面に付属しているヒータを取り囲んでいる、
請求項１〜４０のいずれか１項に記載の構成要素。
【請求項４２】
前記外部シースが、隣接する外部波頂部（または環状突出部）間に空気を封入しており、かつ前記管状本体の外壁面に付属しているヒータワイヤなどのヒータを拘束している、
請求項４１に記載の構成要素。
【請求項４３】
前記ヒータワイヤは、銅、アルミニウムまたはＰＴＣ（正の温度係数）型材料から形成されている、
請求項４２に記載の構成要素。
【請求項４４】
前記ヒータワイヤは、エナメルコーティング、アルマイト処理、及び／またはヒータワイヤのまわりに装着された押出プラスチックシースの１以上により自己絶縁されている、
請求項４２又は請求項４３に記載の構成要素。
【請求項４５】
前記管状本体がガス注入システムの少なくとも一部において使用するための導管の構成要素である、
請求項１〜４４のいずれか１項に記載の構成要素。
【請求項４６】
前記管状本体が呼吸回路において使用するための呼吸管の構成要素である、
請求項１〜４５のいずれか１項に記載の構成要素。
【請求項４７】
前記管状本体が、ＩＳＯ５３６７：２０００（Ｅ）（第４版、２０００年６月１日）による、曲げによる流動抵抗の増加における試験を通過することにより定められた可撓性を有する、
請求項１〜４６のいずれか１項に記載の構成要素。